(57)【特許請求の範囲】
【請求項１】
引き違い内障子の左右のたて框の上部間に横桟を渡し、その横桟と内障子の上桟間に形成される換気用小窓内に障子を設けて下部を中心に内倒し可能に支持し、上記障子の両側下部に一対の障子ブラケットを固定し、その一対の障子ブラケットによって両端部が回転自在に支持された連動軸の両端部に下部アームを固定し、一方の下部アームにレバー片を連設し、そのレバー片の端部を障子の内面一側部に形成された縦長孔に挿通して屋内側に位置せしめ、前記障子ブラケットのそれぞれ上部に上部アームの下端部を回転自在に連結し、上部アームの上端部を内障子のたて框の内面に取付けられた枠ブラケットの縦長孔に沿ってスライド自在に連結し、その上部アームの下端部と前記下部アームの上部とをリンクで連結し、前記障子の閉鎖状態において、リンクと下部アームの連結位置を、リンクと上部アームの連結中心と連動軸の中心を結ぶ直線より屋内側に位置せしめ、上記レバー片の回動による換気用小窓の開放時に、上記連結位置が上記直線を越えて屋外側に移動するようにした換気用小窓の開閉装置。
【請求項２】
前記レバー片の端部に操作バーの上部を回動自在に連結し、その操作バーを振れ止めする振れ止め機構を設けた請求項１に記載の換気用小窓の開閉装置。
【請求項３】
前記振れ止め機構が、内障子のたて框における内面に受け具を取付け、その受け具に操作バーの長さ方向の一部が挿入可能な間隔をおいて二股片を形成し、この二股片に形成された半球状の膨出部を操作バーに形成された長孔に係合させるようにした構成から成る請求項２に記載の換気用小窓の開閉装置。
【発明の詳細な説明】
【０００１】
【発明の属する技術分野】
この発明は、引違い障子の内障子の上部に形成された換気用小窓の開閉装置に関するものである。
【０００２】
【従来の技術】
一般に、引違い障子における内障子の上部には障子によって開閉される小窓が形成され、その小窓の開放によって室内の換気が行なえるようにしている。
【０００３】
【発明が解決しようとする課題】
ところで、換気用小窓を有する従来の内障子においては、普通、移動自在に支持されたスライド障子によって小窓を開閉する構成であり、そのスライド障子は内障子の最上位に位置するため、老人や子供では開閉操作し得ない場合がある。
【０００４】
また、スライド障子が外部から開放されると防犯上問題が生じるため、スライド障子を閉鎖状態に保持するロック金具の取付けが必要とされ、そのロック金具のロック解除後にスライド障子をスライドさせて換気用小窓を開放させる必要が生じる。
【０００５】
このため、小窓の開閉が非常に煩わしく操作性の向上を図るうえにおいて改善すべき点が残されている。
【０００６】
この発明の課題は、操作性に優れた換気用小窓の開閉装置を提供することである。
【０００７】
【課題を解決するための手段】
上記の課題を解決するために、この発明においては、引き違い内障子の左右のたて框の上部間に横桟を渡し、その横桟と内障子の上桟間に形成される換気用小窓内に障子を設けて下部を中心に内倒し可能に支持し、上記障子の両側下部に一対の障子ブラケットを固定し、その一対の障子ブラケットによって両端部が回転自在に支持された連動軸の両端部に下部アームを固定し、一方の下部アームにレバー片を連設し、そのレバー片の端部を障子の内面一側部に形成された縦長孔に挿通して屋内側に位置せしめ、前記障子ブラケットのそれぞれ上部に上部アームの下端部を回転自在に連結し、上部アームの上端部を内障子のたて框の内面に取付けられた枠ブラケットの縦長孔に沿ってスライド自在に連結し、その上部アームの下端部と前記下部アームの上部とをリンクで連結し、前記障子の閉鎖状態において、リンクと下部アームの連結位置を、リンクと上部アームの連結中心と連動軸の中心を結ぶ直線より屋内側に位置せしめ、上記レバー片の回動による換気用小窓の開放時に、上記連結位置が上記直線を越えて屋外側に移動するようにした構成としている。
【０００８】
上記のように構成すると、レバーを回動させることによって内障子を開閉させることができるので、操作性の向上を図ることができる。
【０００９】
ここで、レバー片の端部に操作バーを回動自在に連結しておくと、老人や子供でも換気用障子を開閉させることができる。
【００１０】
上記操作レバーはレバー片に回動自在に連結されているため、内障子の開閉の際、振らつき、騒音が発生したり、操作レバーに対する衝突によって怪我する危険があるため、操作レバーの振れ止め機構を設けておくのがよい。
【００１１】
振れ止め機構として、内障子のたて框における内面に受け具を取付け、その受け具に操作バーの長さ方向の一部が挿入可能な間隔をおいて二股片を形成し、この二股片に形成された半球状の膨出部を操作バーに形成された長孔に係合させるようにした構成のものを採用することができる。
【００１２】
【発明の実施の形態】
以下、この発明の実施の形態を図面に基づいて説明する。図１乃至図３に示すように、引き違い用内障子１の左右のたて框２の上部間には横桟３が渡され、その横桟３と内障子１の上桟４間に換気用小窓５が形成されている。
【００１３】
換気用小窓５には換気用の障子６が設けられている。障子６の下桟７には突出片８が設けられ、その突出片８は横桟３の上面に形成された嵌合溝９内に嵌り、その嵌合部を中心として換気用障子６は内倒し可能とされている。
【００１４】
換気用の障子６の両側下部には一対の障子ブラケット１０がねじ止めによる手段によって固定されている。障子ブラケット１０のそれぞれ下部には、図３に示すように、挿入孔１１が形成され、各挿入孔１１に連動軸１２の両端部が挿入されて回転自在に支持されている。
【００１５】
連動軸１２は換気用障子６の下桟７内に配置され、各障子ブラケット１０から外方向に突出する両端部に一対の下部アーム１３ａ、１３ｂが固定されている。
【００１６】
一対の下部アーム１３ａ、１３ｂのうち、一方の下部アーム１３ａにはレバー片１４が連設されている。レバー片１４は換気用の障子６の内面一側部に形成された縦長孔１５に挿通されて屋内側に臨み、換気用の障子６の閉鎖状態において、レバー片１４は内障子１の内面に沿う状態とされている。
【００１７】
障子ブラケット１０のそれぞれ上部には上部アーム１６の下端部がピン１７を介して回動自在に連結され、各上部アーム１６の上端部に取付けたガイドピン１８が枠ブラケット１９に形成された縦長孔２０にスライド自在に挿入されている。枠ブラケット１９は、内障子１のたて框２の内面にねじ止めによる手段を介して取付けられている。
【００１８】
上部アーム１６の下端部と下部アーム１３ａ、１３ｂの上端部はリンク２１の両端部が上部ピン２２および下部ピン２３を介して連結されている。リンク２１の下端部を連結する下部ピン２３の中心は、換気用障子６の閉鎖状態において、上部ピン２２と連動軸１２の中心を結ぶ直線より屋内側に配置され、前記レバー片１４の回動による換気用小窓５の開放時に、下部ピン２３は上記直線を越えて屋外側に移動するようになっている。
【００１９】
図２は、換気用障子６が換気用小窓５を閉鎖する状態を示し、レバー片１４は内障子１の内面に沿う状態とされている。
【００２０】
上記レバー片１４を上方に向けて揺動させると、連動軸１２が図２の矢印方向に回動し、その連動軸１２に固定された下部アーム１３ａ、１３ｂも同方向に回動する。
【００２１】
下部アーム１３ａ、１３ｂの回動時、下部ピン２３が上部ピン２２と連動軸１２の中心を結ぶ直線を越えるまではリンク２１が押し上げられ、そのリンク２１が連結された上部アーム１６も上方に移動し、ガイドピン１８が枠ブラケット１９の縦長孔２０に沿って上方に移動する。
【００２２】
下部ピン２３が上部ピン２２と連動軸１２の中心を結ぶ直線を越えると、リンク２１が引き下げられると共に、上部アーム１６も引き下げられ、ガイドピン１８は縦長孔２０に沿って下降し、そのガイドピン１８を中心として上部アーム１６の下端部が屋内側に揺動し、図４に示すように、換気用障子６が内方に倒れ、換気用小窓５が開放される。
【００２３】
また、換気用小窓５の開放状態において、レバー片１４を上記と逆の方向に揺動させると、各部は上記と逆方向に移動して、図２に示すように、換気用小窓５は換気用障子６によって閉鎖される。
【００２４】
換気用障子６の閉鎖状態において、下部アーム１３ａ、１３ｂとリンク２１を連結する下部ピン２３は、上部ピン２２と連動軸１２の中心を結ぶ直線より屋内側に位置するため、換気用障子６に外力が付与されても、換気用障子６は屋内側に倒れることがない。
【００２５】
このため、換気用障子６を閉鎖状態で保持するロック金具の取付けを不要とすることができる。
【００２６】
図５に示すように、レバー片１４の端部に操作バー２４の先端部をピン２５で回転自在に連結すると、その操作バー２４を押し引きすることにより、レバー片１４が回動し、換気用障子６を開閉することができるため、老人や子供によっても換気用小窓５の開閉を行なうことができる。
【００２７】
操作バー２４を用いる換気用小窓５の開閉に際しては、内障子１の開閉の際に、操作バー２４がピン２５を中心として振らつき、操作レバー２４に対する衝突によって怪我するおそれがある。
【００２８】
これを防止するため、内障子１のたて框２における内面に受け具２６を取付け、その受け具２６に二股片２７を形成し、この二股片２７間に操作バー２４の長さ方向の一部を挿入し、各二股片２７の内面に設けた半球状の膨出部２８を操作バー２４に形成された長孔２９に係合させて操作バー２４を仮止めし、操作バー２４の振らつきを防止するようにしている。
【００２９】
【発明の効果】
以上のように、この発明においてはレバー片を操作することにより換気用の障子が回動して換気用小窓を開閉させることができるため、換気用小窓の開閉操作が容易である。
【００３０】
また、下部アームとリンクの連結中心を、換気用障子の閉鎖状態において、リンクと上部アームの連結中心と連動軸の中心を結ぶ直線に対して屋内側に配置したため、換気用障子を閉鎖状態に保持することができ、閉鎖状態に保持するためのロック金具の取付けを不要とすることができる。
【００３１】
さらに、レバー片に操作バーを連結したことにより、老人や子供でも換気用小窓の開閉操作を行なうことができる。
【図面の簡単な説明】
【図１】この発明に係る開閉装置の実施の形態を示す正面図
【図２】図１のII−II線に沿った断面図
【図３】同上の分解斜視図
【図４】同上の換気用障子を開放させた状態の断面図
【図５】同上の他の例を示す断面図
【符号の説明】
１  内障子
２  たて框
３  横桟
４  上桟
５  換気用小窓
６  換気用障子
１０  障子ブラケット
１２  連動軸
１３ａ、１３ｂ  下部アーム
１４  レバー片
１５  縦長孔
１６  上部アーム
１９  枠ブラケット
２０  縦長孔
２１  リンク
２４  操作バー
２６  受け具
２７  二股片
２８  膨出部
２９  長孔
【図１】
0003884567.tif 000002
【図２】
0003884567.tif 000003
【図３】
0003884567.tif 000004
【図４】
0003884567.tif 000005
【図５】
0003884567.tif 000006